(57)【要約】【課題】双子葉植物の根の伸長促進効果に優れ、かつ、安価で、水溶性、安全性及び安定性の高い根伸長促進剤を提供することを課題とする。【解決手段】分子中にウロン酸残基を有する酸性キシロオリゴ糖を有効成分とする双子葉植物の根伸長促進剤。該酸性キシロオリゴ糖は、キシロースの重合度が異なるオリゴ糖の混合組成物であり、平均重合度が２．０〜１５．０であることが好ましく、ウロン酸はグルクロン酸もしくは４−Ｏ−メチル−グルクロン酸が好ましい。この酸性オリゴ糖はリグノセルロース材料を酵素的及び／又は物理化学的に処理してキシロオリゴ糖成分とリグニン成分の複合体を得、次いで該複合体を酸加水分解処理する工程から得ることが経済的である。【選択図】    なし【特許請求の範囲】
【請求項１】
キシロオリゴ糖分子中にウロン酸残基を有する酸性キシロオリゴ糖を有効成分とする双子葉植物の根伸長促進剤。
【請求項２】
該酸性キシロオリゴ糖が、キシロースの重合度が異なるオリゴ糖の混合組成物であり、平均重合度が２．０〜１５．０であることを特徴とする請求項１に記載の双子葉植物の根伸長促進剤。
【請求項３】
前記酸性キシロオリゴ糖が、「リグノセルロース材料を酵素的及び／又は物理化学的に処理してキシロオリゴ糖成分とリグニン成分の複合体を得、次いで該複合体を酸加水分解処理してキシロオリゴ糖混合物を得、得られるキシロオリゴ糖混合物から、１分子中に少なくとも１つ以上のウロン酸残基を側鎖として有するキシロオリゴ糖を分離して得たもの」であることを特徴とする請求項１または請求項２に記載の双子葉植物の根伸長促進剤。
【請求項４】
ウロン酸が、グルクロン酸もしくは４−Ｏ−メチル−グルクロン酸であることを特徴とする請求項１〜請求項３のいずれかに記載の双子葉植物の根伸長促進剤。
【請求項５】
双子葉植物が、トマトやキュウリ等の野菜類或いはユーカリやアカシア等の樹木類であることを特徴とする請求項１〜請求項４のいずれかに記載の根伸長促進剤。
【発明の詳細な説明】
【０００１】
【発明の属する技術分野】
本発明は、農業及び林業分野で使用される双子葉植物の根伸長促進剤に関する。より詳細には、活性が高く、かつ、水溶性、安全性及び安定性の高い双子葉植物の根伸長促進剤に関する。
【０００２】
【従来の技術】
従来より、  農作物及び植林木等の植物の生産性向上を目的とした根伸長促進剤として、２，４−Ｄ（２．４−ジクロロフェノキシ酢酸）、ＩＢＡ（インドール−３−酪酸）、ＩＡＡ（インドール−３−酢酸）等の植物ホルモン類（非特許文献１参照）やアミノレブリン酸等の化学合成品（特許文献１）が知られている。
しかし、これらはコスト面の問題に加えて、水溶性が低く、また、安定性や安全性も高くない為、農業及び林業分野での使用には適さない（非特許文献２参照）。
【０００３】
双子葉植物としては、トマトやキュウリ等の多くの野菜類や、ユーカリやアカシア等の樹木類が挙げられるが、これらの双子葉植物に対して有効な根伸長促進剤は、上記植物ホルモン類や化学合成品以外には知られていない。
従って、安価で、水溶性、安定性及び安全性が高く、かつ、野菜等農作物の増収や植林の効率化の為に使用可能な、双子葉植物用の根伸長促進剤の開発が望まれている。
【０００４】
なお、シラカバ材の水可溶部より得られた酸性キシロオリゴ糖に関しては、スギ挿穂の発根促進作用、及び根伸長促進作用が報告されているが、スギは双子葉植物ではない（非特許文献３参照）。
【０００５】
【非特許文献１】
町田英夫  さし木のすべて（誠文堂新光社）  昭和４９年  ｐ４６
【非特許文献２】
加藤幸雄  新・植物生殖生理学（誠文堂新光社）  昭和５０年  ｐ２９０
【非特許文献３】
石原光朗  セルラーゼ研究会報第１６巻    ２００１年、ｐ２４
【特許文献１】
特開平７−５３４８７
【０００６】
【発明が解決しようとする課題】
本発明に於いては、双子葉植物の根の伸長促進効果に優れ、かつ、安価で、水溶性、安全性及び安定性の高い根伸長促進剤を提供することを課題とする。
【０００７】
【課題を解決するための手段】
本発明者らは、前記課題を解決する為に鋭意検討した結果、ウロン酸残基が付加した酸性キシロオリゴ糖組成物が強い双子葉植物の根伸長促進効果を有することを見出し、更に、安価でコスト面に優れ、水溶性、安全性及び安定性も高いことから、本発明を完成するに至った。
【０００８】
本発明は以下の構成を採用する。即ち、本発明の第１は、「キシロオリゴ糖分子中にウロン酸残基を有する酸性キシロオリゴ糖を含有することを特徴とする双子葉植物の根伸長促進剤」である。
【０００９】
本発明の第２は、前記第１発明において、該酸性キシロオリゴ糖はキシロースの重合度が異なるオリゴ糖の混合組成物であり、平均重合度が２．０〜１５．０であることを特徴とする双子葉植物の根伸長促進剤である。
【００１０】
本発明の第３は、前記第１または第２の発明において、前記酸性キシロオリゴ糖が、「リグノセルロース材料を酵素的及び／又は物理化学的に処理してキシロオリゴ糖成分とリグニン成分の複合体を得、次いで該複合体を酸加水分解処理してキシロオリゴ糖混合物を得、得られるキシロオリゴ糖混合物から、１分子中に少なくとも１つ以上のウロン酸残基を側鎖として有するキシロオリゴ糖を分離して得たもの」であること特徴とする双子葉植物の根伸長促進剤である。
【００１１】
本発明の第４は、前記第１〜第３の発明において、ウロン酸がグルクロン酸もしくは４−Ｏ−メチル−グルクロン酸であることを特徴とする双子葉植物の根伸長促進剤である。
【００１２】
本発明の第５は、前記第１〜第４の発明において、双子葉植物がトマトやキュウリ等の野菜類或いはユーカリやアカシア等の樹木類であることを特徴とする根伸長促進剤である。
【００１３】
【発明の実施の形態】
以下、本発明の構成について詳述する。キシロオリゴ糖とは、キシロースの２量体であるキシロビオース、３量体であるキシロトリオース、あるいは４量体〜２０量体程度のキシロースの重合体を言う。本発明で使用する酸性キシロオリゴ糖とは、キシロオリゴ糖１分子中に少なくとも１つ以上のウロン酸残基を有するものを言う。
また、キシロースの重合度が異なるオリゴ糖の混合組成物であっても良い。一般的には、天然物から製造するために、このような組成物として得られることが多く、以下、主として酸性キシロオリゴ糖組成物について説明する。
該組成物は、平均重合度で示す数値は正規分布をとる酸性キシロオリゴ糖のキシロース鎖長の平均値で、２．０〜１５．０が好ましく、２．０〜１１．０がより好ましい。キシロース鎖長の上限と下限との差は２０以下が好ましく、２〜１０がより好ましい。ウロン酸は天然では、ペクチン、ペクチン酸、アルギン酸、ヒアルロン酸、ヘパリン、コンドロイチン硫酸、デルタマン硫酸等の種々の生理活性を持つ多糖の構成成分として知られている。本発明におけるウロン酸としては特に限定されないが、グルクロン酸もしくは４−Ｏ−メチル−グルクロン酸が好ましい。
【００１４】
上記のような酸性キシロオリゴ糖組成物を得ることが出来れば、その製法は特に限定されないが、（１）木材からキシランを抽出し、それを酵素的に分解する方法（セルラーゼ研究会発行、セルラーゼ研究会報第１６巻、２００１年６月１４日発行、ｐ１７−２６）と、（２）リグノセルロース材料を酵素的及び／又は物理化学的に処理してキシロオリゴ糖成分とリグニン成分の複合体を得、次いで該複合体を酸加水分解処理してキシロオリゴ糖混合物を得、得られるキシロオリゴ糖混合物から、１分子中に少なくとも１つ以上のウロン酸残基を側鎖として有するキシロオリゴ糖を分離する方法が挙げられる。
特に、（２）の方法が５〜１０量体のように比較的高い重合度のものを大量に安価に製造することが可能である点で好ましく、以下にその概要を示す。
【００１５】
酸性オリゴ糖組成物は、化学パルプ由来のリグノセルロース材料を原料とし、加水分解工程、濃縮工程、希酸処理工程、精製工程を経て得ることができる。加水分解工程では、希酸処理、高温高圧の水蒸気（蒸煮・爆砕）処理もしくは、ヘミセルラーゼによってリグノセルロース中のキシランを選択的に加水分解し、キシロオリゴ糖とリグニンからなる高分子量の複合体を中間体として得る。濃縮工程では逆浸透膜等により、キシロオリゴ糖−リグニン様物質複合体が濃縮され、低重合度のオリゴ糖や低分子の夾雑物などを除去することができる。濃縮工程は逆浸透膜を用いることが好ましいが、限外濾過膜、塩析、透析などでも可能である。得られた濃縮液の希酸処理工程により、複合体からリグニン様物質が遊離し、酸性キシロオリゴ糖と中性キシロオリゴ糖を含む希酸処理液を得ることができる。この時、複合体から切り離されたリグニン様物質は酸性下で縮合し沈殿するのでセラミックフィルターや濾紙などを用いた濾過等により除去することができる。希酸処理工程では、酸による加水分解を用いることが好ましいが、リグニン分解酵素などを用いた酵素分解などでも可能である。
【００１６】
精製工程は、限外濾過工程、脱色工程、吸着工程からなる。一部のリグニン様物質は可溶性高分子として溶液中に残存するが、限外濾過工程で除去され、着色物質等の夾雑物は活性炭を用いた脱色工程によってそのほとんどが取り除かれる。限外濾過工程は限外濾過膜を用いることが好ましいが、逆浸透膜、塩析、透析などでも可能である。こうして得られた糖液中には酸性キシロオリゴ糖と中性キシロオリゴ糖が溶解している。イオン交換樹脂を用いた吸着工程により、この糖液から酸性キシロオリゴ糖のみを取り出すことができる。糖液をまず強陽イオン交換樹脂にて処理し、糖液中の金属イオンを除去する。ついで強陰イオン交換樹脂を用いて糖液中の硫酸イオンなどを除去する。この工程では、硫酸イオンの除去と同時に弱酸である有機酸の一部と着色成分の除去も同時に行っている。強陰イオン交換樹脂で処理された糖液はもう一度強陽イオン交換樹脂で処理し更に金属イオンを除去する。最後に弱陰イオン交換樹脂で処理し、酸性キシロオリゴ糖を樹脂に吸着させる。
【００１７】
樹脂に吸着した酸性オリゴ糖を、低濃度の塩（ＮａＣｌ、ＣａＣｌ２、ＫＣｌ、ＭｇＣｌ２など）によって溶出させることにより、夾雑物を含まない酸性キシロオリゴ糖溶液を得ることができる。この溶液を、例えば、スプレードライや凍結乾燥処理により、白色の酸性キシロオリゴ糖組成物の粉末を得ることができる。
【００１８】
化学パルプ由来のリグノセルロースを原料とし、キシロオリゴ糖とリグニンからなる高分子量の複合体を中間体とした酸性キシロオリゴ糖組成物の上記製造法のメリットは、経済性とキシロースの平均重合度の高い酸性キシロオリゴ糖組成物が容易に得られる点にある。平均重合度は、例えば、希酸処理条件を調節するか、再度ヘミセルラーゼで処理することによって変えることが可能である。また、弱陰イオン交換樹脂溶出時に用いる溶出液の塩濃度を変化させることによって、１分子あたりに結合するウロン酸残基の数が異なる酸性キシロオリゴ糖組成物を得ることもできる。さらに、適当なキシラナーゼ、ヘミセルラーゼを作用させることによってウロン酸結合部位が末端に限定された酸性キシロオリゴ糖組成物を得ることも可能である。
【００１９】
上記方法により得られた酸性キシロオリゴ糖組成物は、水、プロピレングリコール、ジプロピレングリコール、１，３−ブチレングリコール及びグリセリン等の多価アルコール、エタノール等の低級アルコール類、又はそれらの混合溶媒に溶解して根の伸長促進剤として用いることができる。また、スポンジ、寒天などの担体や不織布、紙等に含有させて用いることもできるし、肥料などに配合することもできる。さらに、マイクロカプセル化やリポソームに内含させて添加してもよい。植物の根の伸長促進剤に於ける酸性キロオリゴ糖または、酸性キシロオリゴ糖組成物の含有率としては、０．００１〜２０００００ｐｐｍの範囲で使用することができるが、０．０１〜１ｐｐｍがより好ましい。
【００２０】
本発明の酸性キシロオリゴ糖組成物を含む根伸長促進剤は、粉末、固体及び液体状等の形態をとることができ、効果を発揮する形態であれば特に限定されない。
【００２１】
更に、本発明に於いては、例えば、植物ホルモン等の植物生長促進剤、植物活性化剤、植物延命剤、開花促進剤及びミネラル等の栄養分、糖類、グリコール類、抗菌剤、抗カビ剤、抗ウイルス剤等も配合することができる。
【００２２】
本発明での根伸長促進剤の対象となる植物としては、トマト（ナス科トマト属）及びキュウリ（ウリ科キュウリ属）、ユーカリ（フトモモ科ユーカリノキ属）及びアカシア（マメ科アカシア属）等の双子葉植物に属する植物が挙げられ、本発明の酸性キシロオリゴ糖により根伸長効果を示す植物種であれば特に制限なく用いることができる。
【００２３】
【実施例】
以下、本発明について実施例により詳説するが、本発明はこれにより限定されるものではない。まず、各測定法の概要、本発明で有効成分として含有させた酸性キシロオリゴ糖組成物（ＵＸ１０、ＵＸ５、ＵＸ２）の調製例１〜調製例３を示す。
【００２４】
＜測定法の概要＞
（１）  全糖量の定量：
全糖量は検量線をＤ−キシロース（和光純薬工業（株）製）を用いて作製し、フェノール硫酸法（還元糖の定量法、学会出版センター発行）にて定量した。
（２）  還元糖量の定量：
還元糖量は検量線をＤ−キシロース（和光純薬工業（株）製）を用いて作製、ソモジ−ネルソン法（還元糖の定量法、学会出版センター発行）にて定量した。
（３）  ウロン酸量の定量：
ウロン酸は検量線をＤ−グルクロン酸（和光純薬工業（株）製）を用いて作製、カルバゾール硫酸法（還元糖の定量法、学会出版センター発行）にて定量した。
（４）  平均重合度の決定法：
サンプル糖液を５０℃に保ち１５０００ｒｐｍにて１５分遠心分離し不溶物を除去し上清液の全糖量を還元糖量（共にキシロース換算）で割って平均重合度を求めた。
（５）  酸性キシロオリゴ糖の分析方法：
オリゴ糖鎖の分布はイオンクロマトグラフ（ダイオネクス社製、分析用カラム：Ｃａｒｂｏ  Ｐａｃ  ＰＡ−１０）を用いて分析した。分離溶媒には１００ｍＭ  ＮａＯＨ溶液を用い、溶出溶媒には前述の分離溶媒に酢酸ナトリウムを５００ｍＭとなるように添加し、溶液比で、分離溶媒：溶出溶媒＝１０：０〜４：６となるような直線勾配を組み分離した。得られたクロマトグラムより、キシロース鎖長の上限と下限との差を求めた。
（６）  オリゴ糖１分子あたりのウロン酸残基数の決定法
サンプル糖液を５０℃に保ち１５０００ｒｐｍにて１５分遠心分離し不溶物を除去し上清液のウロン酸量（Ｄ−グルクロン酸換算）を還元糖量（キシロース換算）で割ってオリゴ糖１分子あたりのウロン酸残基数を求めた。
（７）  酵素力価の定義：
酵素として用いたキシラナーゼの活性測定にはカバキシラン（シグマ社製）を用いた。酵素力価の定義はキシラナーゼがキシランを分解することで得られる還元糖の還元力をＤＮＳ法（還元糖の定量法、学会出版センター発行）を用いて測定し、１分間に１マイクロモルのキシロースに相当する還元力を生成させる酵素量を１ユニットとした。
【００２５】
＜調整例：酸性キシロオリゴ糖組成物の調製例＞
＜調製例１＞
混合広葉樹チップ（国内産広葉樹７０％、ユーカリ３０％）を原料として、クラフト蒸解及び酸素脱リグニン工程により、酸素脱リグニンパルプスラリー（カッパー価９．６、パルプ粘度２５．１ｃｐｓ）を得た。スラリーからパルプを濾別、洗浄した後、パルプ濃度１０％、ｐＨ８に調製したパルプスラリーを用いて以下のキシラナーゼによる酵素処理を行った。
【００２６】
バチルスｓｐ．Ｓ−２１１３株（独立行政法人産業技術総合研究所特許微生物寄託センター、寄託菌株ＦＥＲＭ  ＢＰ−５２６４）の生産するキシラナーゼを１単位／パルプｇとなるように添加した後、６０℃で１２０分間処理した。その後、濾過によりパルプ残渣を除去し、酵素処理液１０５０Ｌを得た。
【００２７】
次に、得られた酵素処理液を濃縮工程、希酸処理工程、精製工程の順に供した。
濃縮工程では、逆浸透膜（日東電工（株）製、ＲＯ  ＮＴＲ−７４１０）を用いて濃縮液（４０倍濃縮）を調製した。希酸処理工程では、得られた濃縮液のｐＨを３．５に調整した後、１２１℃で６０分間加熱処理し、リグニンなどの高分子夾雑物の沈殿を形成させた。さらに、この沈殿をセラミックフィルター濾過で取り除くことにより、希酸処理溶液を得た。
【００２８】
精製工程では、限外濾過・脱色工程、吸着工程の順に供した。限外濾過・脱色工程では、希酸処理溶液を限外濾過膜（オスモニクス社製、分画分子量８０００）を通過させた後、活性炭（和光純薬（株）製）７７０ｇの添加及びセラミックフィルター濾過により脱色処理液を得た。吸着工程では、脱色処理液を強陽イオン交換樹脂（三菱化学（株）製ＰＫ２１８）、強陰イオン交換樹脂（三菱化学（株）製ＰＡ４０８）、強陽イオン交換樹脂（三菱化学（株）製ＰＫ２１８）各１００ｋｇを充填したカラムに順次通過させた後、弱陰イオン交換樹脂（三菱化学（株）製ＷＡ３０）１００ｋｇを充填したカラムに供した。この弱陰イオン交換樹脂充填カラムから７５ｍＭ  ＮａＣｌ溶液によって溶出した溶液をスプレードライ処理することによって、酸性キシロオリゴ糖組成物の粉末（全糖量３５３ｇ、回収率１３．１％）を得た。以下、この酸性キシロオリゴ糖組成物をＵＸ１０とする。前述の測定方法により、ＵＸ１０は平均重合度１０．３、キシロース鎖長の上限と下限との差は１０、酸性キシロオリゴ糖１分子あたりウロン酸残基を１つ含む糖組成化合物であった。
【００２９】
＜調製例２＞
調整例１と同様にして得られた希酸処理液１１６０ｍｌに、スミチームＸ（新日本化学工業（株）製のキシラナーゼ）２８ｍｇを添加し、４０℃で２０時間の反応させた。加熱処理（７０℃、１時間）により酵素を失活させた後、スミチームＸ処理液を調整例１と同様の精製工程を経て、酸性キシロオリゴ糖粉末（全糖量２１．３ｇ、回収率２２．２％）を得た。以下、この酸性キシロオリゴ糖をＵＸ５とする。前述の測定方法により、ＵＸ５は平均重合度４．８、キシロース鎖長の上限と下限との差は９、酸性キシロオリゴ糖１分子あたりウロン酸残基を１つ含む糖組成化合物であった。
【００３０】
＜調製例３＞
調整例１より得られたＵＸ１０の１０％水溶液１００ｍｌに、スミチームＸ（新日本化学工業（株）製のキシラナーゼ）５０ｍｇを添加し、６０℃、２０時間反応後、弱アニオン交換樹脂（ＷＡ３０）１０ｇを充填したカラムに供した。カラムを水洗した後、７５ｍＭ  ＮａＣｌ溶液によって溶出した溶液を凍結乾燥することによって、酸性キシロオリゴ糖粉末（全糖量２．１ｇ、回収率２１％）を得た。以下、この酸性キシロオリゴ糖をＵＸ２とする。前述の測定方法により、ＵＸ２は平均重合度２．３、キシロース鎖長の上限と下限との差は２、酸性キシロオリゴ糖１分子あたりウロン酸残基を１つ含む糖組成化合物であった。
【００３１】
次に、得られた酸性キシロオリゴ糖組成物を用いて行った根伸長促進試験、栽培試験、安全性試験、安定性試験の概要と結果を、それぞれ、実施例１及び２、実施例３、実施例４、実施例５に示す。
【００３２】
＜実施例１及び比較例１：根伸長促進試験１＞
根伸長促進試験を、一般的にモデル植物として使用されるシロイヌナズナ（アブラナ科シロイヌナズナ属）により実施した。
以下にその概要を示す。シロイヌナズナ野生株の種子（レルシード社：アメリカ）を、７０％エタノールで２分間、及び、２％次亜塩素酸（０．０５％Ｔｗｅｅｎ２０添加）で６分間の攪拌殺菌後、滅菌水で５回振とう洗浄した。この種子を滅菌した培地（１／２Ｂ５培地、１％シュークロース、１１／１０００ハイポネックス、０．８％寒天、ｐＨ５．７）に播種し、２２℃で前培養した。４日後、発芽した植物体を、各酸性キシロオリゴ糖を添加した上記と同培地（角型２号シャーレ）に植え替え、更に、２２℃で１４日間培養した。培養後、注意深く、根が伸長した植物体を培地から取り出し、根の長さを測定した。
なお、各試験区は１０個体とし、酸性キシロオリゴ糖無添加の培地をブランクとした。また、酸性キシロオリゴ糖の代わりにＩＢＡを用いた上記試験を比較例１とした。結果を表１に示す。
【００３３】
【表１】
2004210678.tif 000002
【００３４】
３種の酸性キシロオリゴ糖（実施例１）に根伸長促進効果があることが判明した。また、ＩＢＡよりも低濃度で十分な効果が認められた。
【００３５】
＜実施例２：根伸長促進試験２＞
トマト（ナス科トマト属）を用いた根伸長促進試験を、実施例１と同方法で実施した。結果を表２に示す。
【００３６】
【表２】
2004210678.tif 000003
【００３７】
トマトにおいても、３種の酸性キシロオリゴ糖に根伸長促進効果が認められた。
【００３８】
＜実施例３：栽培試験＞
双子葉植物１０種類（ナス科トマト属トマト、ウリ科キュウリ属キュウリ、ナス科ナス属ナス、シソ科シソ属シソ、セリ科オランダゼリ属パセリ、フトモモ科ユーカリノキ属ユーカリ、マメ科アカシア属アカシア、カバノキ科カバノキ属シラカバ、ブナ科ブナ属ブナ、クスノキ科クスノキ属クスノキ）の栽培試験を以下の要領で実施した。
各植物に適した圃場に、挿し木或いは実生より生育させた苗木を植えた後、２〜３日ごとに酸性キシロオリゴ糖水溶液（０．１ｐｐｍ）か或いは水（対照）を適量与え、栽培した（各１０個体）。数週間から数ヶ月間後に、地上部が適当な大きさに生育した各植物体を注意深く引き抜き、根の伸長度や太さを対照と比較した。なお、判定基準は、著効、有効、やや有効、無効、悪化の５段階で、目視による観察とした。結果を表３に示す。
【００３９】
【表３】
2004210678.tif 000004
【００４０】
１０種の双子葉植物の全てにおいて、酸性キシロオリゴ糖の根伸長促進効果が認められた。特に、トマト及びキュウリ、ユーカリ及びアカシアにおいて顕著な効果が見られた。
また、何れの植物においても、酸性キシロオリゴ糖の根の太さに対する効果及び悪影響は認められなかった。これは、植物体の地上部においても、同様であった。
【００４１】
＜実施例４：安全性試験＞
＜皮膚刺激性試験＞
各酸性キシロオリゴ糖の２％水溶液１００μｌを、それぞれ、除毛後のＣ３Ｈマウス（雄、６週齢、日本チャールズリバー（株）製）の背皮に、約１ヶ月間、連日塗布した（各群１０匹）。塗布期間及び塗布期間後の２週間、マウス背皮において、紅斑、浮腫、炎症等の異状は特に観察されなかった。また、ブランク（水塗布群）と比較し、体重推移においても有意な差が認められなかった。これは、皮膚塗布における酸性キシロオリゴ糖の安全性の高さを示す。
【００４２】
＜急性経口毒性試験＞
各酸性キシロオリゴ糖の６０％水溶液を、それぞれ、ＩＣＲ系マウス（雄、６週齢、日本チャールズリバー（株）製）に胃ゾンデを用いて、２週間、連日経口投与した（投与量：５ｇ／マウス体重１Ｋｇ／日、各群１０匹）。投与期間及び投与後の２週間、マウス死亡例はなかった。また、ブランク（水投与群）と比較し、体重推移においても有意な差が認められなかった。これは、経口摂取における酸性キシロオリゴ糖の安全性の高さを示す。
【００４３】
＜実施例５：安定性試験＞
酸性キシロオリゴ糖６０％水溶液を調整後、室温で保存した。１ヶ月後、酸性キシロオリゴ糖水溶液のイオンクロマトグラムに於ける変化は認められなかった。これは、酸性キシロオリゴ糖の安定性の高さを示す。
【発明の効果】
本発明で得られる酸性キシロオリゴ糖を含有した根伸長促進剤は、双子葉植物に対する高い根伸長促進作用を有しており、安価で、水溶性、安全性及び安定性も優れることから、野菜等の農作物増収や植林効率化の為に利用することができる。